(57)【要約】【課題】被圧延材の張力変動に起因する入側・出側テンションリールの速度変動によって発生する圧延機の出側板厚変動を抑制する。【解決手段】本発明の圧延機の制御装置は、圧延機１で圧延される被圧延材ｕの巻出しおよび巻取り用に圧延機１の入側・出側のうちの少なくとも何れか側に、被圧延材ｕに張力を付与するとともにトルク一定制御を実施する張力付与回転手段２、３を備えた圧延機１の制御装置であって、入側・出側のうちの少なくとも何れか側の被圧延材ｕの張力変動を予測する第１張力変動予測手段３２を備え、該第１張力変動予測手段３２による張力変動予測結果に基づいて、張力変動が予測された側の張力付与回転手段２のトルク指令に、被圧延材ｕの張力変動に応じて当該張力付与回転手段２の速度が変化しないように、予測された張力変動から求めた該張力変動のトルクと釣り合う変動分のトルクを加える補正を行っている。【選択図】図１
2010162553.tif 000002
【特許請求の範囲】
【請求項１】
圧延機で圧延される被圧延材の巻出しおよび巻取り用に前記圧延機の入側・出側のうちの少なくとも何れか側に、前記被圧延材に張力を付与するとともにトルク一定制御を実施する張力付与回転手段を備えた圧延機の制御装置であって、
前記入側・出側のうちの少なくとも何れか側の前記被圧延材の張力変動を予測する第１張力変動予測手段を備え、
該第１張力変動予測手段による張力変動予測結果に基づいて、前記張力変動が予測された側の張力付与回転手段のトルク指令に、前記被圧延材の張力変動に応じて当該張力付与回転手段の速度が変化しないように、前記予測された張力変動から求めた該張力変動のトルクと釣り合う変動分のトルクを加える補正を行う
ことを特徴とする圧延機の制御装置。
【請求項２】
請求項１に記載の圧延機の制御装置において、
前記第１張力変動予測手段は、前記被圧延材の板厚を制御する板厚制御指令による前記被圧延材の張力変動を予測する
ことを特徴とする圧延機の制御装置。
【請求項３】
請求項１に記載の圧延機の制御装置において、
前記圧延機の圧延設定値および圧延実績に応じて、
前記入側・出側のうちの少なくとも何れか側の前記被圧延材の張力変動を予測し、該張力変動予測結果に基づいて、前記張力変動が予測された側の張力付与回転手段のトルク指令に、前記張力変動に応じて当該張力付与回転手段の速度が変化しないように、前記予測された張力変動から求めた該張力変動のトルクと釣り合う変動分のトルクを加える補正を行う機能と、
前記被圧延材の板厚を制御する板厚制御指令による前記被圧延材の張力変動を予測し、該予測された側の前記張力付与回転手段のトルク指令を、前記予測された張力変動によるトルク変化と逆方向に操作し、前記張力変動が予測された側の前記被圧延材の張力変動を抑制する機能とを、
切換える切換え手段を備えることを特徴とする圧延機の制御装置。
【請求項４】
請求項１に記載の圧延機の制御装置において、
前記圧延機の圧延設定値および圧延実績に応じて、前記張力変動予測結果に基づいて、前記張力変動が予測された側の張力付与回転手段のトルク指令に、前記張力変動に応じて当該張力付与回転手段の速度が変化しないように、前記予測された張力変動から求められた該張力変動のトルクと釣り合う変動分のトルクを加える補正を行う機能を入切する
ことを特徴とする圧延機の制御装置。
【請求項５】
請求項１に記載の圧延機の制御装置において、
前記第１張力変動予測手段による前記被圧延材の張力変動の予測の際、前記圧延機において周期的に発生する機械的変動による前記張力変動を前記被圧延材の張力変動実績値から抽出する張力変動抽出手段を備える
ことを特徴とする圧延機の制御装置。
【請求項６】
請求項１から請求項５のうちの何れか一項に記載の圧延機の制御装置において、
前記張力付与回転手段は、テンションリールまたはブライドルロールまたはピンチロールである
ことを特徴とする圧延機の制御装置。
【請求項７】
圧延機で圧延される被圧延材の巻出しおよび巻取り用に前記圧延機の入側・出側のうちの少なくとも何れか側に、前記被圧延材に張力を付与するとともにトルク一定制御を実施する張力付与回転手段を備えた圧延機の制御方法であって、
制御装置が、
前記入側・出側のうちの少なくとも何れか側の前記被圧延材の張力変動を予測し、
該張力変動予測結果に基づいて、前記張力変動が予測された側の張力付与回転手段のトルク指令に、前記被圧延材の張力変動に応じて当該張力付与回転手段の速度が変化しないように、前記予測された張力変動から求めた該張力変動のトルクと釣り合う変動分のトルクを加える補正を行う
ことを特徴とする圧延機の制御方法。
【請求項８】
請求項７に記載の圧延機の制御方法において、
前記被圧延材の張力変動の予測は、前記被圧延材の板厚を制御する板厚制御指令による前記被圧延材の張力変動に対して行う
ことを特徴とする圧延機の制御方法。
【請求項９】
請求項７に記載の圧延機の制御方法において、
制御装置が、
前記圧延機の圧延設定値および圧延実績に応じて、
前記入側・出側のうちの少なくとも何れか側の前記被圧延材の張力変動を予測し、該張力変動予測結果に基づいて、前記張力変動が予測された側の張力付与回転手段のトルク指令に、前記張力変動に応じて当該張力付与回転手段の速度が変化しないように、前記予測された張力変動から求めた該張力変動のトルクと釣り合う変動分のトルクを加える補正を行う制御と、
前記被圧延材の板厚を制御する板厚制御指令による前記被圧延材の張力変動を予測し、該予測された側の張力付与回転手段のトルク指令を、前記予測された張力変動によるトルク変化と逆方向に操作し、前記張力変動が予測された側の前記被圧延材の張力変動を抑制する制御とを
切換えることを特徴とする圧延機の制御方法。
【請求項１０】
請求項７に記載の圧延機の制御方法において、
前記制御装置が、
前記圧延機の圧延設定値および圧延実績に応じて、
前記張力変動予測結果に基づいて、前記張力変動が予測された側の張力付与回転手段のトルク指令に、前記張力変動に応じて当該張力付与回転手段の速度が変化しないように、前記予測された張力変動から求められた該張力変動のトルクと釣り合う変動分のトルクを加える補正を行う制御を入切する
ことを特徴とする圧延機の制御方法。
【請求項１１】
請求項７に記載の圧延機の制御方法において、
前記被圧延材の張力変動の予測は、前記圧延機において周期的に発生する機械的変動による前記張力変動を前記被圧延材の張力変動実績値から抽出して行う
ことを特徴とする圧延機の制御方法。
【請求項１２】
請求項７から請求項１１のうちの何れか一項に記載の圧延機の制御方法において、
前記張力付与回転手段は、テンションリールまたはブライドルロールまたはピンチロールである
ことを特徴とする圧延機の制御方法。
【発明の詳細な説明】
【技術分野】
【０００１】
本発明は、圧延機に係わり、より詳細には被圧延材の巻出しおよび巻取りに用いるテンションリールの制御に係わる圧延機の制御装置およびその制御方法に関する。
【背景技術】
【０００２】
図８は、従来の圧延機の一例として最も単純なシングルスタンド圧延機Ｓ１００の制御構成を示す概念図である。
シングルスタンド圧延機Ｓ１００は、圧延機１の圧延方向(図８中、矢印で示す)に対して圧延機１の入側に、被圧延材ｕを繰り出す入側テンションリール２（以下、入側ＴＲ２と称す）を有し、出側に、圧延機１で圧延された被圧延材ｕを巻き取る出側テンションリール３(以下、出側ＴＲ３と称す）を有している。
【０００３】
入側ＴＲ２および出側ＴＲ３は、それぞれ電動機にて駆動され、この電動機と電動機を駆動制御するための装置として、それぞれ入側ＴＲ制御装置５および出側ＴＲ制御装置６が設置されている。
この構成により、シングルスタンド圧延機Ｓ１００における圧延は、入側ＴＲ２から巻き出された被圧延材ｕを圧延機１で圧延した後、出側ＴＲ３で巻き取ることにより行われる。
【０００４】
ここで、圧延機１には、上作業ロールＲs1と下作業ロールＲs2との間の距離であるロールギャップを変更することで、被圧延材ｕの圧延後の板厚(製品板厚)を制御するためのロールギャップ制御装置７と、圧延機１の速度(上・下作業ロールＲs1、Ｒs2の周速度)を制御するためのミル速度制御装置４が設置されている。
圧延時、圧延速度設定装置１０より速度指令がミル速度制御装置４に対して出力され、ミル速度制御装置４は、圧延機１の速度(上・下作業ロールＲs1、Ｒs2の周速度)を一定とするような制御を実施する。
【０００５】
圧延機１の入側(図８の圧延機１の左側)、出側(図８の圧延機１の右側)では、被圧延材ｕに張力をかけることで圧延を安定かつ効率的に実施する。
そのために必要な張力を計算するのが、入側張力設定装置１１および出側張力設定装置１２である。
入側・出側張力設定装置１１、１２にて計算された入側および出側張力設定値から、それぞれ入側張力電流変換装置１５および出側張力電流変換装置１６において、入側および出側の設定張力を被圧延材ｕに加えるために入側ＴＲ２および出側ＴＲ３のそれぞれの電動機の必要な電動機トルクを得るための電流値を求め、それぞれの電流値を入側ＴＲ制御装置５および出側ＴＲ制御装置６に与える。
【０００６】
入側ＴＲ制御装置５および出側ＴＲ制御装置６では、それぞれ与えられた電流となるように電動機の電流を制御し、入側ＴＲ２および出側ＴＲ３に与えられるそれぞれの電動機トルクにより被圧延材ｕに所定の張力を与える。
入側・出側張力電流変換装置１５、１６は、ＴＲ(テンションリール)機械系およびＴＲ(テンションリール)制御装置のモデルに基き張力設定値となるような電流設定値（電動機トルク設定値）を演算するが、制御モデルに誤差を含むため、圧延機１の入側および出側に設置された入側張力計８および出側張力計９で測定された実績張力を用いて、入側張力制御１３および出側張力制御１４により張力設定値に補正を加えて、入側・出側張力電流変換装置１５、１６に付与し、入側・出側張力電流変換装置１５、１６が入側ＴＲ制御装置５および出側ＴＲ制御装置６へ設定する電流値を変更する。
【０００７】
また、被圧延材ｕの板厚は製品品質上重要であるため、板厚制御が実施される。
圧延機１の出側(図８の圧延機１の右側)の板厚は、出側板厚計１７にて検出された実績板厚から出側板厚制御装置１８が圧延機１のロールギャップをロールギャップ制御装置７を用いて、上・下作業ロールＲs1、Ｒs2を操作することで制御される。
前記したように、シングルスタンド圧延機においては、巻取および巻出に用いられる出側ＴＲ３および入側ＴＲ２は、それぞれの電動機が発生するトルクを一定とするトルク一定制御が用いられ、入側・出側張力計８、９で検出した実績張力を用いて電動機電流指令を補正することで被圧延材ｕにかかる張力を一定とする制御が行われている。
【０００８】
なお、入側・出側ＴＲ２、３のそれぞれの電動機の電動機トルクは、電動機電流により得られるので、トルク一定制御を電流一定制御とする場合もある。（特許文献１および特許文献２参照。）
トルク一定制御でＴＲ(テンションリール)制御を行う場合、特許文献３に示すように圧延機に適用される板厚制御と干渉して出側板厚精度が悪化するという問題が有る。出側板厚に対する影響は出側張力に比べて入側張力のほうが大きいので、圧延機１と入側ＴＲ２における問題点を、以下説明する。
【０００９】
図９は、従来のシングルスタンド圧延機Ｓ１００の入側ＴＲ２と圧延機１間の圧延現象を示す概念図である。
図９に示すように、入側ＴＲ２においては、入側ＴＲ制御装置５の出力である電動機トルク２２と、入側張力２４(Ｔｂ)と機械条件（リール径Ｄおよびリールギア比Ｇｒ）より決定される張力トルク２５との和、つまり電動機トルク２２と張力トルク２５との和を積分することで、入側ＴＲ(テンションリール)速度２０が決定される。なお、Ｊは、入側ＴＲ２の慣性モーメント(ｋｇ・ｍ２)である。
圧延機１においては、ロールギャップ変更量２３（＝ΔＳ）を図示するような所定の係数(Ｍ／(Ｍ＋Ｑ))を積算した値と、圧延機１の入側張力２４を図示するような所定の係数((∂Ｐ／∂Ｔｂ)／(Ｍ＋Ｑ))を積算した値とにより、出側板厚２６が決定され、この決定された出側板厚２６からマスフロー一定則により圧延機入側速度２１が決定される。そして、圧延機入側速度２１と入側ＴＲ速度２０との差を積分したものが入側張力２４となる。
なお、図９において、Ｍはミル定数Ｍ(ｋＮ／ｍ)であり、Ｑは塑性定数Ｑ(ｋＮ／ｍ)であり、(∂Ｐ／∂Ｔｂ)／(Ｍ＋Ｑ)は、入側張力変動∂Ｔｂによる圧延荷重Ｐ(ｋＮ)の変動の出側板厚への影響係数(ｋｂ)である。
【００１０】
圧延機１における、基本法則としてマスフロー一定則がある。これは、圧延機１の入側(図８に示す圧延機１左側)と圧延機１の出側(図８に示す圧延機１右側)の被圧延材ｕが連続することより、
Ｈ・Ｖｅ＝ｈ・Ｖｏ      ……  （１）
Ｈ   ：  圧延機１の入側板厚
ｈ   ：  圧延機１の出側板厚
Ｖｅ  ：  圧延機１の入側板速
Ｖｏ  ：  圧延機１の出側板速
で表される。
【００１１】
マスフロー一定則の式（１）から、入側板厚一定の場合、入側板速が変動すると出側板厚が変動することを意味する。
シングルスタンド圧延機(図８に示す一つの圧延機１)の場合、入側板速は入側ＴＲ速度となる。入側ＴＲ２は、電動機トルク２２に張力トルク２５が合致するように入側ＴＲ速度２０を変化させるが、この変化は入側ＴＲ２の慣性と圧延機１および圧延現象によって行われ、入側速度２０の変化を抑制する制御手段がない。
そのため、圧延機１において、板厚制御で出側板厚(圧延機１の出側の被圧延材ｕの板厚)を一定とするためロールギャップ変更量２３(＝ΔＳ)を操作すると、それに応じて圧延機入側速度２１(圧延機１の入側の被圧延材ｕの速度)が変化し、入側張力２４(＝ΔＴ)の偏差ΔＴｂが発生する。
【００１２】
これを抑制するために入側ＴＲ速度２０が変動するが、この変動によって出側板厚変動が発生する。入側ＴＲ２によって行われる入側張力抑制系２７は圧延条件によっては特許文献３に示すように時定数が大きい場合が有り、大きなうねりを持つ出側板厚変動の原因となる場合がある。
入側張力２４は、圧延現象によっても抑制される。入側張力２４が変動すると、圧延機１の圧延荷重Ｐが変化し、それに伴って圧延機入側速度２１が変動する。この入側張力圧延現象系２８(図９参照)によっても入側張力２４は変動する。入側張力圧延現象系２８の応答は、入側張力抑制系２７に比べて非常に速いため、図９の入側圧延現象は、図１０のように変換できる。
【００１３】
なお、図１０は、図９の圧延現象の部分を簡略化したブロック図である。
図１０より、圧延機１のロールギャップ変更量２３(＝ΔＳ)は、同位相で入側張力２４の偏差ΔＴｂとなって表れ、それが入側ＴＲ２で積分された状態で入側ＴＲ速度２０が変化することがわかる。従って、ロールギャップ変更量２３(＝ΔＳ)、入側張力２４の偏差ΔＴｂ、入側ＴＲ速度２０の変化、および出側板厚の変化は図１１のような関係となる。
【００１４】
図１１は、ロールギャップ変更量２３、入側張力２４(Ｔｂ)、入側ＴＲ速度２０、および出側板厚の関係を表す図である。
図１１に示すように、ロールギャップ変更量２３が変化すると、圧延機１の入側速度が変化し、入側張力２４が変化する。入側張力２４の変化に伴い、入側ＴＲ２はトルク一定制御を行っているため、入側ＴＲの慣性による動作で入側ＴＲ速度２０が変化する。
入側ＴＲ速度２０が変動するとマスフロー一定則(式（１）参照)により出側板厚変動が発生する。
【００１５】
出側板厚変動が発生すると、出側板厚制御装置１８(図８参照)が出側板厚を一定とするためロールギャップ変更量２３を操作する。これら一連の動作が継続すると、図１０に示すように、出側板厚が振動するようになる。
なお、実際には出側板厚計１７(図８参照)は圧延機１から離れた場所に設置されるため出側板厚制御装置１８(図８参照)が用いる出側板厚の検出までに遅れ時間が存在するが、出側板厚の振動周期に対して充分に遅れ時間が短い場合は無視できる。
なお、本願に係る文献公知発明として、次の特許文献１〜３がある。
【先行技術文献】
【特許文献】
【００１６】
【特許文献１】特開平１０−２７７６１８号公報
【特許文献２】特開２０００−８４６１５号公報
【特許文献３】特許４１０７７６０号公報
【発明の概要】
【発明が解決しようとする課題】
【００１７】
上述したように、従来用いられる圧延機１において、入側ＴＲ２および出側ＴＲ３をトルク一定制御（電流一定制御）にすることは、出側板厚変動を発生させる圧延機１の入側および出側速度の変動要因となる。
これは、トルク一定制御を行った場合は、入側・出側ＴＲ２、３のトルクを一定とするためにテンションリール速度が入側・出側ＴＲ２、３の慣性により変化してしまうためである。その結果、マスフロー一定則(式(１)参照)より出側板厚変動が発生する。
【００１８】
圧延機１で生産される被圧延材ｕにとって最も重要なのは出側板厚精度(製品板厚精度)であり、入出側の張力は操業の安定性のためには重要であるが、製品板厚を維持するためであれば多少は変動しても圧延操業上、問題ない。
本発明は上記実状に鑑み、張力変動に起因する入側・出側テンションリールの速度変動によって発生する圧延機の出側板厚変動を抑制する圧延機の制御装置およびその制御方法の提供を目的とする。
【課題を解決するための手段】
【００１９】
上記目的を達成すべく、第１の本発明に関わる圧延機の制御装置は、圧延機で圧延される被圧延材の巻出しおよび巻取り用に圧延機の入側・出側のうちの少なくとも何れか側に、被圧延材に張力を付与するとともにトルク一定制御を実施する張力付与回転手段を備えた圧延機の制御装置であって、入側・出側のうちの少なくとも何れか側の被圧延材の張力変動を予測する第１張力変動予測手段を備え、該第１張力変動予測手段による張力変動予測結果に基づいて、張力変動が予測された側の張力付与回転手段のトルク指令に、被圧延材の張力変動に応じて当該張力付与回転手段の速度が変化しないように、予測された張力変動から求めた該張力変動のトルクと釣り合う変動分のトルクを加える補正を行っている。
【００２０】
第２の本発明に関わる圧延機の制御方法は、圧延機で圧延される被圧延材の巻出しおよび巻取り用に圧延機の入側・出側のうちの少なくとも何れか側に、被圧延材に張力を付与するとともにトルク一定制御を実施する張力付与回転手段を備えた圧延機の制御方法であって、制御装置が、入側・出側のうちの少なくとも何れか側の被圧延材の張力変動を予測し、該張力変動予測結果に基づいて、張力変動が予測された側の張力付与回転手段のトルク指令に、被圧延材の張力変動に応じて当該張力付与回転手段の速度が変化しないように、予測された張力変動から求めた該張力変動のトルクと釣り合う変動分のトルクを加える補正を行っている。
【発明の効果】
【００２１】
本発明によれば、被圧延材の張力変動に起因する入側・出側のうちの少なくとも何れか側のテンションリールの速度変動によって発生する圧延機の出側板厚変動を抑制する圧延機の制御装置およびその制御方法を実現できる。
【図面の簡単な説明】
【００２２】
【図１】第１実施形態のシングルスタンド圧延機の制御構成を示す概念図である。
【図２】第１実施形態のシングルスタンド圧延機の出側板厚変動を抑制するための基本概念を示す概念図である。
【図３】第１実施形態の入側張力制御装置による入側ＴＲの制御方法の概要を示す図である。
【図４】第１実施形態の出側板厚制御装置のロールギャップ指令より入側張力変動を予測して電動機トルク設定を補正することで、入側ＴＲ速度の変動を抑制して圧延機の出側板厚を一定とするための制御ブロックを示す図である。
【図５】第１実施形態の非干渉制御装置の詳細を示す図である。
【図６】第１実施形態の制御出力切換え装置の概要を示す概念図である。
【図７】第２実施形態の入側張力変動抽出装置の概要を示す図である。
【図８】従来の圧延機の一例として最も単純なシングルスタンド圧延機の制御構成を示す概念図である。
【図９】従来のシングルスタンド圧延機の入側ＴＲと圧延機との間の圧延現象を示す概念図である。
【図１０】図９の圧延現象の部分を簡略化したブロック図である。
【図１１】ロールギャップ変更量、入側張力、入側ＴＲ速度、および出側板厚の関係を表す図である。
【発明を実施するための形態】
【００２３】
以下、本発明の実施形態について添付図面を参照して説明する。
図１は、本発明に係る第１実施形態のシングルスタンド圧延機Ｓの制御構成を示す概念図である。
【００２４】
＜＜第１実施形態＞＞
＜シングルスタンド圧延機Ｓの概要＞
第１実施形態のシングルスタンド圧延機Ｓは、入側テンションリール２(以下、入側ＴＲ２と称す)をトルク一定制御で動作させる場合において、圧延機１の入側(図１中の圧延機１の左側)の被圧延材ｕの張力変動量を予測してそれによって発生するトルク変動に合わせて、入側ＴＲ２へのトルク指令を該トルク変動に釣り合うように補正することで、入側ＴＲ２のテンションリール速度変動を抑制し、圧延機１の出側(図１中の圧延機１の右側)板厚、すなわち圧延製品の板厚を一定としている。
【００２５】
また、出側板厚制御装置１８からの被圧延材ｕの板厚を制御する板厚制御出力(指令)による被圧延材ｕの圧延機１の入側の張力変動を予測し、該予測された側の入側ＴＲ２のトルク指令を、該予測された張力変動によるトルク変化と逆方向に操作し、該トルク変化による被圧延材ｕの張力変動を相殺し被圧延材ｕの入側の張力変動を抑制し、圧延機１の出側板厚(圧延製品の板厚)を一定としている。
【００２６】
さらに、上述の圧延機１の入側の被圧延材ｕの張力変動量を予測して入側ＴＲ２へのトルク指令を該張力変動量のトルク変動に釣り合うように補正し、入側ＴＲ２のテンションリール速度変動を抑制する第１の制御と、板厚制御出力(指令)による張力変動を予測して、入側ＴＲ２のトルク指令を該張力変動によるトルク変化と逆方向に操作し張力変動を抑制する第２の制御とを、後記する圧延設定情報と圧延実績情報とに応じて切換え、最適な制御を行うことで、圧延製品の板厚を可及的に一定としている。
【００２７】
以下、第１実施形態のシングルスタンド圧延機Ｓについて詳細に説明する。
＜シングルスタンド圧延機Ｓの構成＞
図１に示すシングルスタンド圧延機Ｓは、圧延機１の入側(図１中の圧延機１の左側)の被圧延材ｕの速度が一定となるように補正を行うための圧延機１の入側の被圧延材ｕの張力の変動を予測する入側張力変動予測装置３２、出側板厚制御装置１８からの板厚制御出力(指令)による圧延機１の入側の被圧延材ｕの張力変動を非干渉化とする非干渉制御装置３３´、および入側張力変動予測装置３２の出力と非干渉制御装置３３の出力とを切換える張力補正切換え装置３４(図１中、二点鎖線で示すＨ)以外の構成は、図８に示すシングルスタンド圧延機Ｓ１００と同様である。
従って、シングルスタンド圧延機Ｓ１００と同一の構成要素には、同一の符号を付して示し、詳細な説明は省略する。
【００２８】
ここで、入側張力変動予測装置３２、非干渉制御装置３３´、および張力補正切換え装置３４は、例えば、ＰＬＣ(programmable  logic  controller)に格納される制御プログラムにＣ言語等で記述されており、該制御プログラムが実行されることにより具現化される。
なお、入側張力変動予測装置３２、非干渉制御装置３３´、および張力補正切換え装置３４は、他のプログラム言語、例えば、アセンブラ等で記述されてもよく、或いは、回路を用いて実現してもよく、特に限定されないのは勿論である。
【００２９】
＜シングルスタンド圧延機Ｓの出側板厚変動の抑制＞
図２は、シングルスタンド圧延機Ｓの出側板厚変動(図１中の圧延機１の右側の被圧延材ｕの板厚変動)を抑制するための基本概念を示す概念図である。
前記課題を解決する手段として、理想的には図２に示す出側板厚変動の抑制を行うことになる。なお、図２に示す入側張力トルク変動予測装置３０は、後記する入側張力変動予測装置３２または非干渉制御装置３３に相当するものであり、図１には特に図示していない。
圧延機(１)入側(図１中の圧延機１の左側)の被圧延材ｕの張力変動の原因となる圧延機入側速度２１の変動要因としては、ロールギャップ変更量２３(＝ΔＳ)の他にも種々の原因が考えられる。
【００３０】
例えば、圧延機１の上・下作業ロールＲs1、Ｒs2の偏心等の機械的な振動や、被圧延材ｕの母材板厚変動といったものも考えられる。
具体的には、図１に示す圧延機１の上・下作業ロールＲs1、Ｒs2が偏心すると、その半径が長い箇所では、被圧延材ｕの圧延機入側速度２１が速くなるとともに、その半径が短い箇所では、被圧延材ｕの圧延機入側速度２１が遅くなり、機械的な振動が生じる
また、圧延機１だけでなく、入側ＴＲ２でも、リール径が円周方向で不均一になる場合等も考えられる。例えば、入側ＴＲ２のリール径が長い箇所では、入側ＴＲ２の巻き出し力が増加し、入側ＴＲ２のリール径が短い箇所では、入側ＴＲ２の巻き出し力が低下する。
それらを、まとめて入側張力外乱(変動)要因２９とする。
【００３１】
図２に示すように、ロールギャップ変更量２３(＝ΔＳ)と入側張力外乱要因２９とにより圧延機入側速度２１の変動が発生し、入側張力２４が変化する。
そのため、ロールギャップ変更量２３(＝ΔＳ)と入側張力外乱要因２９とによる圧延機入側速度２１の変動分を予測または実測し、入側張力トルク変動予測装置３０にて入側張力トルク２５の変動分を予測して入側張力トルク変動予測値３１として、入側ＴＲ２を駆動する電動機５２(図３参照)の電動機トルク２２を補正する。
これにより、この入側張力トルク２５の変動分を予測した入側張力トルク変動予測値３１が正確であれば、入側張力トルク変動予測値３１が、実際の入側張力トルク２５の変動分と打ち消しあって入側ＴＲ速度２０変動原因となる張力トルク変動が発生しない。
【００３２】
そのため、入側ＴＲ２の速度である入側ＴＲ速度２０は、変動しないことになり、前記マスフロー一定則(式(１)参照)より、圧延機１の出側(図１に示す圧延機１の右側)の被圧延材ｕの板厚変動(圧延製品の板厚変動)も発生しない。
入側張力外乱要因２９(図２参照)については、前記したように、入側ＴＲ２、圧延機１等の機械系のガタ等の種々の要因が考えられるが、圧延機(１)出側の被圧延材ｕの板厚、すなわち製品板厚に与える影響は小さいと考えられる。
これに対して、図１に示す出側板厚制御装置１８によるロールギャップ変更量２３(＝ΔＳ)により発生する圧延機１の出側板厚変動(図１に示す圧延機１の右側の被圧延材ｕの板厚変動)は、板厚制御に起因するものであり、場合によっては大きな板厚変動となる。
そのため、これを抑制することを目的とした方法につき以下、説明する。
【００３３】
＜入側ＴＲ２の制御方法＞
図３は、第１実施形態の入側張力制御装置による入側ＴＲ２の制御方法の概要を示す図である。なお、図３に示すように、入側張力制御装置とは、入側張力設定装置１１、入側張力電流変換装置１５、入側ＴＲ制御装置１５等(図１参照)をいう。
ここで、図３に示す入側張力制御装置による入側ＴＲ２の制御方法は、従来と同様の構成である。
入側ＴＲ２は、被圧延材ｕに巻出し張力、すなわち圧延機１の入側張力(図１に示す圧延機１の左側の被圧延材ｕの張力)を与えるための装置である。
【００３４】
図３に示す入側張力制御装置は、まず、入側張力設定装置１１において、被圧延材ｕを所定板厚にするための圧延スケジュールに従って被圧延材ｕの入側張力が決定され、入側張力電流変換装置１５に被圧延材ｕの入側の張力指令が発せられる。
入側張力電流変換装置１５においては、入側張力設定装置１１で設定される圧延機(１)入側の被圧延材ｕの張力に、Ｄ／２Ｇｒ(Ｄ：入側ＴＲ２の直径、Ｇｒ：入側ＴＲ２と電動機５２とのギア比)を積算して入側ＴＲ２を駆動する電動機５２の回転軸のトルクに変換する。なお、入側ＴＲ２の直径Ｄは、入側ＴＲ２の回転速度と被圧延材ｕの板厚から求めることができる。
【００３５】
そして、この電動機５２の回転軸のトルクを、１／ζφ(ζφ：電流−トルク変換係数)を積算して電動機５２に付与する電流に変換し、入側ＴＲ制御装置５に対する電流指令を決定する。ここで、入側ＴＲ２を駆動する電動機５２は、その特性として、ある電流を流したとき、どれ位のトルクが得られるかという電流−トルク変換係数ζφが得られる。
これらの値を用いて、入側張力設定装置１１からの張力指令を、入側ＴＲ制御装置５に出力する電流指令に換算する。こうして換算された電流指令は入側ＴＲ制御装置５に入力される。
【００３６】
入側ＴＲ制御装置５は、電動機制御装置５１、電動機５２等より構成されている。
電動機制御装置５１において、電流一定制御(ＡＣＲ)が行われ、入側ＴＲ２を駆動する電動機５２に対して一定の電流が与えられる。そして、電動機５２内では、電流−トルク変換が行われ、入側ＴＲ２に対する電動機トルク２２が付与されることになる。
従って、ロールギャップ変更量２３(＝ΔＳ)から、入側張力２４(＝ΔＴｂ)の偏差ΔＴｂを予測し、これを用いて入側張力設定装置１１より出力される入側張力指令値を補正することで、ロールギャップ変動(ロールギャップ変更量２３(＝ΔＳ))に起因する張力変動、すなわち圧延機１の入側の被圧延材ｕの張力変動を抑制できることになる。
なお、図３では、入側張力設定装置１１からの張力指令の補正は図示していない。
【００３７】
＜入側張力変動予測装置３２＞
図４は、出側板厚制御装置１８(図１参照)のロールギャップ指令より圧延機１の入側の被圧延材ｕの張力変動を予測して電動機トルク２２の設定を補正し、入側ＴＲ速度２０の変動を抑制して圧延機(１)出側の被圧延材ｕの板厚を一定とするための制御ブロックを示す図である。
図４に示すように、出側板厚制御装置１８からのロールギャップ指令に入側張力変動予測装置３２において変換ゲイン(＝ζφ・(Ｍ／Ｍ＋Ｑ)・１／ｋｂ)を乗算することで入側張力変動量を予測する。
【００３８】
ここで、変換ゲインとは、ζφ・(Ｍ／Ｍ＋Ｑ)・１／ｋｂであり、ロールギャップ指令に変換ゲインを乗算することで、上・下作業ロールＲs1、Ｒs2間の距離であるロールギャップが変わると張力がどれだけ変わるか、すなわち入側張力変動量が求められる。なお、変換ゲインにおけるζφ、Ｍ、Ｑ、ｋｂ等は、以下のものである。
ζφ：電流−トルク変換係数(Ｎ・ｍ／Ａ)、Ｍ：ミル定数(ｋＮ／ｍ))、Ｑ：塑性定数(ｋＮ／ｍ)、ｋｂ：張力影響係数((∂Ｐ／∂Ｔｂ)／(Ｍ＋Ｑ))(ｍ／ｋＮ))、Ｐ：圧延機１の圧延荷重(ｋＮ)、Ｔｂ：入側張力２４(ｋＮ)
入側張力変動予測装置３２で求められた入側張力変動量を、入側張力設定装置１１からの入側張力指令に加算することで電動機トルク２２(＝Ｔｑ)に入側張力変動量のトルクを加える。  こうして、入側ＴＲ２において、圧延機(１)入側の被圧延材ｕの張力Ｔｂによる入側張力トルク２５の入側張力変動分のトルクと、入側ＴＲ２に電動機トルク２２に加えられた入側張力変動量のトルクとを釣り合わせる。
これによって、被圧延材ｕの張力Ｔｂの変動によって、入側ＴＲ２に、力が圧延機１側または入側ＴＲ２の巻き戻し側の何れか側に加わることを防止し、入側張力抑制系２７の動作による入側ＴＲ速度２０の変動を防止している。
図４では、さらに従来と同様に、後記する入側張力制御１３による補正が行われる。
【００３９】
ここで、圧延機(１)入側の被圧延材ｕの張力は圧延操業の安定性からある範囲を超えて変動することは好ましくないため、入側張力変動予測装置３２では、図４に示すように、入側張力補正量に制限をかける出力リミッタ４０を設けている。
従来のシングルスタンド圧延機Ｓ１００(図８参照)の制御構成に、上記補正を追加する場合は以下のようにする。
図１に示すように、入側張力設定装置１１で決定された入側張力設定値に、入側張力計８にて実測された入側張力実績を合致させるように入側張力制御１３により、入側張力設定装置１１で設定される入側張力指令値が補正される。この入側張力制御１３による補正後の入側張力指令値に、入側張力変動予測装置３２の出力を加算する。
【００４０】
＜非干渉制御装置３３´＞
図５は、非干渉制御装置３３´の詳細を示す図である。
図５に示すように、圧延機１のロールギャップ変更時に発生する張力変動を、抑制するために行われる非干渉制御装置３３´がある。
ここで、非干渉制御装置３３´が行われるのは、以下の理由による。
圧延機(１)入側の速度と、入側ＴＲ２の速度との偏差で張力が決定される。何故なら、この速度差を積分して被圧延材ｕの入側の長さの変化分を求め、被圧延材ｕのヤング率を乗算すると、被圧延材ｕの入側の張力が求まるからである。
圧延機１においては、被圧延材ｕを圧下するため圧延機(１)入側板厚、出側板厚が同じであっても、入側、出側の張力バランスにより圧延機(１)入側と出側の速度は異なる。この異なり方が大きい場合、張力が変動することで圧延機(１)入側の速度が変化するため、入側ＴＲ２の速度が一定だとマスフロー一定則より入側張力および出側板厚が変動する。
これを防止するため、非干渉制御を用いて、入側ＴＲ２の速度を変化させる。
このようなことから、非干渉制御は、圧延機(１)出側板厚を一定にさせるための圧延機(１)入側速度が異なるため、その変化に応じて入側ＴＲ２の速度を変化させた方が良いということで行われる。
上述したように、非干渉制御装置３３´は、張力変動を抑制するために非干渉制御を行うものであり、出側板厚制御装置１８のロールギャップ変更量２３(＝ΔＳ)を用いて張力変動量を予測して、それを抑制するために、入側張力設定装置１１にて設定される電動機トルクの設定を補正することで、圧延機(１)入側の被圧延材ｕの張力変動を防止するのが目的である。
【００４１】
そのため、図４に示す入側張力変動予測装置３２を用いるのとは逆な動作となる。つまり、本実施形態の非干渉制御装置３３´は、入側ＴＲ速度２０を積極的に変動させることになる。
例えば、圧延機(１)入側の被圧延材ｕの張力Ｔｂが増加する張力変動であれば、入側ＴＲ２を駆動する電動機トルク２２の設定を減少させるように制御し、被圧延材ｕの張力Ｔｂの変動を防止する。一方、圧延機(１)入側の被圧延材ｕの張力Ｔｂが減少する張力変動であれば、入側ＴＲ２を駆動する電動機トルク２２の設定を増加させるように制御し、被圧延材ｕの張力Ｔｂの変動を防止する。
【００４２】
図５に示すように、出側板厚制御装置１８が出力する圧延機１の上・下作業ロールＲs1、Ｒs2間の距離であるロールギャップのロールギャップ変更量２３(＝ΔＳ)に基づき、このロールギャップ変更量２３(＝ΔＳ)に、ζφ・Ｍ／(Ｍ＋Ｑ)・１／ｋｂを乗算して圧延機(１)入側の被圧延材ｕの入側張力変動量を予測し、これに非干渉制御ゲイン４１(ＧDC)を乗算して入側張力補正量として出力する。
ただし、符号は予測される張力変動と逆方向(−)であり、ロールギャップ変動による張力変動分で電動機トルク２２を変更することでフィードフォワード的に入側ＴＲ速度２０を操作するものである。
【００４３】
前記したように、入側ＴＲ速度２０の変動によって、圧延機１の出側の被圧延材ｕの板厚変動が発生する。
ここで、図２に示すように、入側張力抑制系２７の一巡伝達関数は、
（Ｄ／２Ｊ・Ｇｒ）×（ｈ／Ｖｅ）・（１／ｋｂ）
で表される。
ここで、Ｄ(入側ＴＲ２の直径)、Ｇｒ(入側ＴＲ２と駆動する電動機５２とのギア比)、Ｊ(入側ＴＲ２の慣性モーメント)は、機械的に決まる定数となるので設備によって決定される。
【００４４】
この伝達関数のゲインが大きい方が、時定数が小さいので入側張力抑制系２７は高速に動作する。
そこで、本発明の課題である前記した入側張力系の振動現象は、入側張力抑制系２７の応答が遅くなるに従って大きくなるので、伝達関数のゲインが大きければ入側張力抑制系２７が高速に動作するので、非干渉制御を適用する。
一方、伝達関数のゲインが小さい場合、時定数が大きく入側張力抑制系２７の応答が遅くなり入側張力系の振動現象が大きくなるので、図４に示す入側張力変動予測装置３２による電動機トルク２２の補正を適用する。
これにより、例えば、被圧延材ｕが柔らかい場合、張力影響係数ｋｂが小さく、張力変動により被圧延材ｕの圧延機(１)入側速度が変化する量が大きいため、圧延機１の出側の被圧延材ｕの板厚変動が大きく発生することから、この場合、非干渉制御を適用する。
【００４５】
また、板厚が厚く(出側板厚ｈが大)入側ＴＲ速度２０の変動によるマスフロー一定則に従った出側板厚変動が無視できる場合等は、非干渉制御装置３３´による非干渉制御が、入側張力変動予測装置３２(図４参照)による入側張力補正よりも有効なので、これらの場合は、非干渉制御装置３３´を利用する。
【００４６】
＜張力補正切換え装置３４＞
そこで、圧延機１の入側の被圧延材ｕの張力の補正の方法として、非干渉制御装置３３´(図５参照)と入側張力変動予測装置３２(図４参照)を両方設けて、圧延状態によって切換えるのが張力補正切換え装置３４である。
図６は、張力補正切換え装置３４の概要を示す概念図である。
図６に示すように、張力補正切換え装置３４は、張力影響係数ｋｂ、出側板厚ｈ等の圧延設定情報、入側板速度Ｖｅ等の圧延実績情報から予めルールベース３６に設定してある制御ルールにより非干渉制御３３´の出力Ａと入側張力変動予測装置３２の出力Ｂ(図６中、二点鎖線で示す)とを、出力切換え装置３５を用いて切換えてＣを通して、入側張力設定装置１１からの入側張力設定値に入側張力補正として加える。
【００４７】
張力補正切換え装置３４におけるルールベース３６には、張力影響係数ｋｂ、出側板厚ｈ等の圧延設定情報と入側板速度Ｖｅ等の圧延実績情報に従って、ＡまたはＢのどちらの制御出力を利用すべきかを制御ルールとして設定しておく。
前記したように、被圧延材が柔らかく張力影響係数ｋｂが小さい場合、また、出側板厚ｈが厚い場合、圧延機１の入側板速Ｖｅが小さい場合等においては、図２に示す入側張力抑制系２７の一巡伝達関数のゲインが大きくなるので、時定数が小さく入側張力抑制系は高速に動作するため、非干渉制御装置３３´(図５参照)の非干渉制御を適用する。
一方、図２に示す入側張力抑制系２７の一巡伝達関数のゲインが小さい場合、時定数が大きく、入側張力抑制系の応答が遅くなる。この場合、入側張力系の振動現象は、入側張力抑制系の応答が遅くなるに従って大きくなるので、入側張力変動予測装置３２(図４参照)による入側張力補正を用いる。
【００４８】
そこで、例えば、前記ＰＬＣの制御プログラムのソースコードを、次のようにする。
IF  （ｋｂ＞ｋ１）AND（ｈ＜ｈ１）AND（Ｖｅ＞Ｖ１）
THEN  （出力B（入側張力変動予測装置３２）を選択）
ELSE  （出力Ａ（非干渉制御３３´）を選択）
なお、ｋ１、ｈ１、Ｖ１は定数であり、その値は種々の条件により、適宜選択可能である。
結論部としては、（出力Bを選択（入側張力変動予測装置３２を選択）、出力Ａを選択（非干渉制御装置３３´を選択）のほか（どちらも選択しない）ことで、入側張力変動予測装置３２、非干渉制御装置３３´による入側張力設定の補正を行わないことも可能である。
【００４９】
＜＜第２実施形態＞＞
次に、第２実施形態について、図７を用いて説明する。
図７は、第２実施形態の入側張力変動抽出装置６０の概要を示す図である。
第２実施形態は、入側張力外乱要因２９(図４参照)を、入側張力変動抽出装置６０(図７参照)を用いて低減するものである。
入側張力外乱要因２９(図７、図４参照)としては、例えば入側ＴＲ２が偏心している場合が考えられる。
入側ＴＲ２の偏心により、入側ＴＲ２のリール径Ｄが大きい箇所と小さい箇所とがあることから被圧延材ｕを繰り出すリール径Ｄが、入側ＴＲ２の回転により変動することになる。
【００５０】
そのため、入側ＴＲ２のリール径Ｄが大きい箇所は入側ＴＲ速度２０が大きくなるとともに入側ＴＲ２のリール径Ｄが小さい箇所は入側ＴＲ速度２０が小さくなる。そのため、入側ＴＲ速度２０が変動し、結果的に入側張力２４(＝ｔｂ)の偏差Δｔｂが発生する。
入側張力２４の偏差Δｔｂが発生すると、入側ＴＲ２にかかるトルクが変動するため、入側ＴＲ２の回転速度が変化し、マスフロー一定則により出側板厚が変動する。
これを防止するために、図７に示すように、入側ＴＲ２の回転周期に同期した張力変動である入側張力２４の偏差Δｔｂを、入側張力変動抽出装置６０において、フィルタを用いて抽出して記憶し、入側ＴＲ２の回転位置に応じた張力変動を出力し、入側ＴＲ２の回転周期に同期させて入側張力指令を補正する。
【００５１】
すなわち、入側張力変動抽出装置６０を用いて入側ＴＲ２の回転周期成分の張力変動を取り出し、入側ＴＲ２の回転周期に同期させて入側張力指令を補正する。
なお、第１実施形態および第２実施形態においては、圧延機１の入側ＴＲ速度２０を変化させないため、入側ＴＲ２に関して本発明を適用する場合を例示して説明したが、出側ＴＲ３についても入側ＴＲ２と同様に構成することが可能である。
【００５２】
また、前記第１実施形態および第２実施形態において、シングルスタンド圧延機Ｓに本発明を適用した場合を例示して説明したが、前記したシングルスタンド圧延機の入側ＴＲ２または出側ＴＲ３、或いは、シングルスタンド圧延機の入側ＴＲ２および出側ＴＲ３以外に、圧延機としてはシングルスタンド圧延機に限定されず、適用可能である。
例えば、多スタンドのタンデム圧延機においても、入側または出側にテンションリールが設置されている場合には、本発明を、入側ＴＲまたは出側ＴＲ、或いは、入側ＴＲおよび出側ＴＲに適宜適用可能である。
また、圧延機１の入側または出側に被圧延材ｕに張力を付与する事を目的とするブライドルロールやピンチロール等の装置を設置し、その装置がトルク一定制御にて駆動されている場合にも適時使用可能である。
【００５３】
＜＜作用効果＞＞
圧延機におけるテンションリールに対するトルク一定制御における電流指令（トルク指令）を、予想される張力変動に合わせて補正し、テンションリールの速度変動を抑制することで、圧延機出側の被圧延材ｕの板厚変動、すなわち圧延製品の板厚変動を解決できる。
従って、従来のテンションリールをトルク一定制御（電流一定制御）していただけの場合と比較して、圧延機１の出側の板厚変動を抑制し、圧延製品の板厚精度を向上させることが可能となる。
【産業上の利用可能性】
【００５４】
本発明は、冷間圧延機の制御に利用可能であり、実適用上の問題点は無い。
【符号の説明】
【００５５】
１      圧延機
２      入側ＴＲ（張力付与回転手段）
３      出側ＴＲ（張力付与回転手段）
５      入側ＴＲ制御装置(制御装置)
６      出側ＴＲ制御装置(制御装置)
１１    入側張力設定装置(制御装置
１２    出側張力設定装置(制御装置)
１５    入側張力電流変換装置(制御装置)
１６    出側張力電流変換装置(制御装置)
１８    出側板厚制御装置(制御装置)
３２    入側張力変動予測装置(第１張力変動予測手段、制御装置)
３３´  非干渉制御装置(第２張力変動予測手段、制御装置)
３４    張力補正切換え装置(切換え手段、制御装置)
６０    入側張力変動抽出装置(張力変動抽出手段、制御装置)
ｕ      被圧延材
【図１】
2010162553.tif 000003
【図２】
2010162553.tif 000004
【図３】
2010162553.tif 000005
【図４】
2010162553.tif 000006
【図５】
2010162553.tif 000007
【図６】
2010162553.tif 000008
【図７】
2010162553.tif 000009
【図８】
2010162553.tif 000010
【図９】
2010162553.tif 000011
【図１０】
2010162553.tif 000012
【図１１】
2010162553.tif 000013